(57)【要約】 【課題】カメラの視界を遮る水滴並びに塵埃の付着を効率よく抑制できるカメラハウジングの清掃機能を有した屋外用監視カメラを提供する。【解決手段】カメラハウジング１０の外部に配置された放水手段３０から外部へ噴流された洗浄水はカメラハウジング１０を貫通して果報に突出しているドームカバー２０の周面に巻き付くように薄膜状に流れドームカバー２０の周面に渦流化された流水膜を形成しながらドームカバー２０の中心部に至り滴となって地表に滴下される。【選択図】図１
2018082384.tif 000002
【特許請求の範囲】
【請求項１】
カメラが内蔵されたカメラハウジングと、
前記カメラの視野を覆って前記カメラハウジングにこのハウジングより下方へ突出された形態に取付けられ、下端部に向かうほど次第に径小となる先細り形状の透光性のカバーと、
前記カメラハウジングの外部に位置された前記カバーの基部の外周に対し周方向に前記基部の外側から放水をする放水手段と、
を備えた屋外用監視カメラ。
【請求項２】
前記放水手段が、
前記カメラハウジングの下部が貫通する底壁及び開放された上端を形成して前記カメラハウジングを囲んで前記底壁に連続された周壁を有し、前記開放された上端から受け入れた雨水が溜められる貯水空間を前記カメラハウジングの周囲に形成した貯水タンクと、
この貯水タンクの周方向に隔てられて前記底壁に形成された複数の放水口を開閉する放水弁と、
前記カバーの基部を覆って前記貯水タンクの下側に前記カバーを貫通させて配置され、前記放水弁を通った雨水が前記基部の外周に対し周方向に放水されるように前記雨水を導く放水ガイドと、
を備える請求項１に記載の屋外用監視カメラ。
【請求項３】
前記放水弁が、前記放水口をその下側から閉じる閉じ位置と、前記放水口から離れて斜めとなり前記放水口を通った雨水が前記放水ガイドの周方向に流れるように前記雨水を導く開き位置とにわたって上下方向に回動される弁板を有している請求項２に記載の屋外用監視カメラ。
【請求項４】
前記放水ガイドは、前記カバーが貫通する開口部と、この開口部を囲むとともに前記底壁に下方から対向しかつ前記開口部に向けて下向きに下がるガイド底壁と、前記放水ガイドの半径方向に交差して前記ガイド底間の内面に起立して形成された複数のガイドリブと、を有している請求項２又は３に記載の屋外用監視カメラ。
【請求項５】
前記ガイドリブは、複数の前記放水口に対し夫々同数配置されている請求項４に記載の屋外用監視カメラ。
【請求項６】
複数の前記ガイドリブが、前記放水ガイドの周方向に等しい間隔で配置されている請求項４又は５に記載の屋外用監視カメラ。
【請求項７】
複数の前記ガイドリブの長さが同じであるとともに、これらガイドリブの配置間隔が、それらガイドリブに対応する前記放水口から遠ざかるほど広くなっている請求項５に記載の屋外用監視カメラ。
【請求項８】
複数の前記ガイドリブの長さが、それらガイドリブに対応する前記放水口から遠ざかるほど長くなっている請求項６に記載の屋外用監視カメラ。
【請求項９】
複数の前記ガイドリブの長さが、それらガイドリブに対応する前記放水口から遠ざかるほど長くなっているとともに、複数の前記ガイドリブ配置間隔が、それらガイドリブに対応する前記放水口から遠ざかるほど広くなっている請求項５に記載の屋外用監視カメラ。
【請求項１０】
前記放水弁が常時閉じ状態に維持されるとともに、前記放水弁を開き状態とする前記電磁駆動源への通電を許すスイッチが前記貯水タンクに取付けられており、前記スイッチは無線信号を受信する受信部を有している請求項２から９のうちのいずれか一項に記載の屋外用監視カメラ。
【請求項１１】
多孔性材料からなり、前記貯水空間の上部を閉じて前記放水タンクの上部に配置されるとともに前記カメラハウジングの上部が貫通された閉鎖板を、更に備えた請求項２に記載の屋外用監視カメラ。
【請求項１２】
前記放水手段が、
前記カバーの基部の外周に対し周方向に放水されるように前記基部に対向してこの基部の周囲に間隔的に配置された複数の放水ノズルと、
貯水タンクと、
この貯水タンクに溜められた水を複数の前記放水ノズルに供給するポンプと、
を備える請求項１に記載の屋外用監視カメラ。
【発明の詳細な説明】
【技術分野】
【０００１】
カメラハウジングの清掃機能を有した屋外用監視カメラに関する。
【背景技術】
【０００２】
カメラハウジングの清掃機能を有した屋外用監視カメラとして一体型旋回カメラが存在する。この一体型旋回カメラはカメラハウジングの撮像窓となる表面が平坦な透明カバーに、撮像窓を清掃する一端を回動支点としたワイパーを設けた構成としている。このようなカバーの表面が平坦面に形成されたカメラハウジングにおいては上記ワイパーを適用できるが、例えばドーム型屋外カメラハウジングのようにカバーの表面が平坦面でないカメラハウジングには適用が困難である。カバーの表面が平坦面でないカメラハウジングにワイパーを設ける場合はカバーの表面に一様に斑無く摺接する特殊な形状のワイパーを設けなければならず、メンテナンス（維持、管理、保守）並びにコスト面で実用性に乏しい。ドーム型屋外カメラハウジングではワイパーに代え、カバーの表面に親水コートの加工を施して、カメラの視界を遮る水滴並びに塵埃の付着を抑制している。
【先行技術文献】
【特許文献】
【０００３】
【特許文献１】特開２０１２−２０９８４９号公報
【特許文献２】特開２００６−１９８６０２号公報
【発明の概要】
【発明が解決しようとする課題】
【０００４】
カメラの視界を遮る水滴並びに塵埃の付着を効率よく抑制できるカメラハウジングの清掃機能を有した屋外用監視カメラを提供する。
【課題を解決するための手段】
【０００５】
カメラが内蔵されたカメラハウジングと、前記カメラの視野を覆って前記カメラハウジングにこのハウジングより下方へ突出された形態に取付けられ、下端部に向かうほど次第に径小となる先細り形状の透光性のカバーと、前記カメラハウジングの外部に位置された前記カバーの基部の外周に対し周方向に前記基部の外側から放水をする放水手段とを備えた屋外用監視カメラを提供する。
【図面の簡単な説明】
【０００６】
【図１】第１の実施形態に係る屋外用監視カメラの構成を一部切欠いた状態で示す側面図。
【図２】図１の監視用カメラが備える放水弁の構成を示す断面図。
【図３】図１の監視用カメラが備える放水ガイドを示す斜視図。
【図４】図３の放水ガイドを示す平面図。
【図５】第２の実施形態に係る屋外用監視カメラが備える放水ガイドを示す平面図。
【図６】第３の実施形態に係る屋外用監視カメラが備える放水ガイドを示す平面図。
【図７】第４の実施形態に係る屋外用監視カメラが備える放水ガイドを示す平面図。
【図８】第５の実施形態に係る屋外用監視カメラを示す側面図。
【発明を実施するための形態】
【０００７】
以下、実施の形態について、図面を参照して説明する。
【０００８】
第１の実施形態に係る屋外用監視カメラの構成を図１乃至図４に示している。図１は屋外用監視カメラの構成を一部切欠いた状態で示す側面図、図２は図１の監視用カメラが備える放水弁の構成を示す断面図、図３は図１の監視用カメラが備える放水ガイドを示す斜視図、図４は図３の放水ガイドを示す平面図である。
【０００９】
第１の実施形態に係る屋外用監視カメラは、図１に示すように、カメラＫが内蔵されたカメラハウジング１０と、カメラＫの視野を覆って上記カメラハウジング１０にこのハウジングより下方へ突出された形態に取付けられ、下端部に向かうほど次第に径小となる先細り形状の透光性のカバー２０と、カメラハウジング１０の外部に位置されたカバー２０の基部２１の外周に対し周方向に基部２１の外側から放水をする放水手段３０とを具備して構成されている。カバー２０は好ましい例として半球状のドームカバーで構成されている。
【００１０】
放水手段３０は漏斗状の貯水タンク３１と、貯水タンク３１の底壁３１ｃに設けられた放水弁３２と、放水弁３２に連通して貯水タンク３１の下側に配設された放水ガイド３３とを有して構成されている。
【００１１】
貯水タンク３１はカメラハウジング１０の下部１１が貫通する底壁３１ｃ及び開放された上端３１ｂを形成して上記カメラハウジング１０を囲んで上記底壁３１ｃに連続された周壁３１ａを有し、上記開放された上端３１ｂから受け入れた雨水がドームカバー２０の洗浄水として溜められる貯水空間３１ｄを上記カメラハウジング１０の周囲に形成している。なお、貯水空間３１ｄはカメラハウジング１０を利用してこれとの間に設けることに制約されない。つまり、図１の構成において、貯水タンク３１にその周壁３１ａに下端を連続して例えばカメラハウジング１０の外面に沿うように起きる内周壁を設けることによって、カメラハウジング１０の周囲に貯水空間を形成することもできる。底壁３１ｃには複数の複数の放水口３１ｅが貯水タンク３１の周方向に隔てられて設けられている。例えば周方向に一定の間隔（９０°の間隔）で４箇所に放水口３１ｅが設けられている（図４参照）。
【００１２】
放水弁３２は貯水タンク３１の周方向に隔てられて上記底壁３１ｃに形成された複数の放水口３１ｅを開閉制御する電磁弁により構成されている。この放水弁３２のより詳細な構成は図２を参照して後述する。
【００１３】
放水ガイド３３は上記ドームカバー２０の基部２１を覆って上記貯水タンク３１の下側にドームカバー２０を貫通させて配置され、上記放水弁３２を通った洗浄水が上記基部２１の外周に対し周方向に放水されるように貯水タンク３１に貯水された洗浄水を導く流路を形成している。この放水ガイド３３のより詳細な構成は図３および図４を参照して後述する。
【００１４】
上記放水弁３２は図２に示すように、上記放水口３１ｅをその下側から閉じる閉じ位置ｐａと、上記放水口３１ｅから離れて斜めとなり上記放水口３１ｅを通った洗浄水が上記放水ガイド３３の周方向に流れるように上記洗浄水を導く開き位置ｐｂとにわたって上下方向に回動される弁板３２ａを有している。放水口３１ｅの下端には開口径を一致させた止水用のパッキン３４が設けられている。弁板３２ａは一端を上記ｐａ−ｐｂ間の回動端とし、他端側に寄った中間部を回動支点としてロータリーソレノイド３２ｂに回動可能に支持されている。この弁板３２ａの他端部と底壁３１ｃとの間に、弁板３２ａを止水用のパッキン３４に押し当てる矢印ａ方向に付勢する弾発ばね３２ｃが介挿されている。このように構成された放水弁３２は、例えば遠隔操作で開かれる。ここでは図１に示すように貯水タンク３１の外周にスイッチ３８と、このスイッチ３８をオン／オフ制御する無線信号の受信部３９が取り付けられている。スイッチ３８は受信部３９が無線信号を受信していないときオフ状態にあり、受信部３９が無線信号を受信したとき所定の時間オンしてロータリーソレノイド３２ｂを作動させ弁板３２ａを閉じ位置ｐａから開き位置ｐｂに回動させる。なお、この遠隔操作に代えて、保守点検員の手動操作、若しくは予め定められた設定した時間単位（例えば２４Ｈ毎）でロータリーソレノイド３２ｂを駆動制御することで、ロータリーソレノイド３２ｂを選択的に開閉制御することもできる。
【００１５】
上記放水ガイド３３は図３に示すように、上記ドームカバー２０が貫通する開口部３３ａと、この開口部３３ａを囲むとともに上記底壁３１ｃの下方から対向しかつ上記開口部３３ａに向けて下向きに下がるガイド底壁３３ｂと、上記放水ガイド３３の半径方向に交差して上記ガイド底壁３３ｂの内面に起立して形成された複数のガイドリブ３３ｃとを有して構成されている。この第１実施形態では図４に示すように、貯水タンク３１に設けられた複数の放水口３１ｅそれぞれに対して上記ガイドリブ３３ｃが同数枚ずつ設けられている。図４では貯水タンク３１に設けられた放水口３１ｅの放水ガイド３３への洗浄水放出位置を符号ｄｐを付して丸印で示し、その放水流路並びに放流方向を二点鎖線と矢印で示している。この図４に示す実施形態では、貯水タンク３１の周方向に一定の間隔（９０°の間隔）で計４つの放水口３１ｅが設けられ、この放水口３１ｅ各々の洗浄水放出位置ｄｐに対してそれぞれ３枚のガイドリブ３３ｃが一定の間隔で設けられている。
【００１６】
上記構成において、貯水タンク３１に洗浄水が貯留されている状態で貯水タンク３１の放水口３１ｅが放水弁３２によって開かれると（図２に示す弁板３２ａの開き位置ｐｂ参照）、貯水タンク３１に貯留されている洗浄水が放水弁３２を介して放水ガイド３３のガイド底壁３３ｂに放出される。この際、放水弁３２を介してガイド底壁３３ｂに放出され洗浄水は、開き位置ｐｂまで開かれた弁板３２ａの傾斜によりガイド底壁３３ｂの周方向斜め下方に水流が付勢されガイド底壁３３ｂに勢いよく流出される。このガイド底壁３３ｂに該底壁の周方向に向けて流出された洗浄水はガイドリブ３３ｃに案内され渦流となってドームカバー２０が貫通している開口部３３ａの隙間から外部へ噴流される。さらに開口部３３ａの隙間から外部へ噴流された洗浄水は開口部３３ａを貫通しているドームカバー２０の周面に巻き付くように薄膜状に流れドームカバー２０の周面に渦流化された流水膜を形成しながらドームカバー２０の中心部に至り滴となって地表に滴下される。この際、ドームカバー２０の周囲４箇所の洗浄水放出位置ｄｐから放流された洗浄水がそれぞれ均一化された渦巻き状の流水膜を一様に形成しながらドームカバー２０の中心部に至ることで、少量の洗浄水で効率よく撮像窓となるドームカバー２０の周面に付着していた塵埃をカバーの全面に亘って一様に洗い流し、水滴の形成並びに付着を抑止して、カメラの視界を遮る水滴や塵埃をすべて排除したドームカバー２０の清掃が実施される。
【００１７】
上記した実施形態は、貯水タンク３１の上端３１ｂが開放された構成であるが、貯水タンク３１の上端３１ｂに、例えば海面や軽石のような輻輳した無数の通水孔を有する材料多孔性材料からなる閉鎖板Ｃを設けて、この閉鎖板Ｃにより貯水タンク３１の上端３１ｂを雨水が通過する蓋体を構成して、貯水タンク３１の貯水空間３１ｄに溜められた洗浄水となる雨水の蒸発抑制と、タンク内への埃や昆虫類の侵入防止を図ることも構成としてもよい。
【００１８】
第２の実施形態に係る屋外用監視カメラが備える放水ガイドの構成を図５に示している。この実施形態では、放水口３１ｅおよびこの放水口３１ｅに設けられている放水弁３２を削減して放水ガイド全体の構成を簡素化している。
【００１９】
この第２の実施形態では貯水タンク３１の周方向に一定の間隔（１２０°の間隔）で計３つの放水口３１ｅが設けられ、この放水口３１ｅ各々の洗浄水放出位置ｄｐに対してそれぞれ４枚のガイドリブ３３ｃがそれぞれ間隔を違えて設けられている。この放水ガイドの構成は各ガイドリブ３３ｃの間において放水量が均等化されるようにガイド底壁３３ｂにガイドリブ３３ｃを配置している。この点以外は上記した第１の実施形態と同じ構成である。
【００２０】
この構成においてもドームカバー２０の周囲３箇所の洗浄水放出位置ｄｐから放流された洗浄水がそれぞれ均一化された渦巻き状の流水膜を一様に形成しながらドームカバー２０の中心部に至ることで、少量の洗浄水で効率よく撮像窓となるドームカバー２０の周面に付着していた塵埃をカバーの全面に亘って一様に洗い流し、水滴の形成並びに付着を抑止して、カメラの視界を遮る水滴や塵埃をすべて排除したドームカバー２０の清掃が実施される。
【００２１】
第３の実施形態に係る屋外用監視カメラが備える放水ガイドの構成を図６に示している。この実施形態は、上記した第２の実施形態が、複数のガイドリブの長さを同じにしているのに対して、ガイドリブの配置間隔をガイドリブに対応する放水口から遠ざかるほど広くなる構成としている。
【００２２】
この第３の実施形態では貯水タンク３１の周方向に一定の間隔（９０°の間隔）で計４つの放水口３１ｅが設けられ、この放水口３１ｅ各々の洗浄水放出位置ｄｐに対してそれぞれ３枚のガイドリブ３３ｃがそれぞれ一定の間隔で設けられている。この放水ガイドの構成は上記３枚のガイドリブ３３ｃのガイド形状をそれぞれ違えて各ガイドリブ３３ｃの間において放水量が均等化されるようにガイド底壁３３ｂにガイドリブ３３ｃを配置している。なお、ここではガイドリブ３３ｃの長さを違えて各ガイドリブ３３ｃの間において放水量が均等化されるように工夫しているが、ガイド底壁３３ｂに立設されたガイドリブ３３ｃの高さ若しくは高さと長さを違えて各ガイドリブ３３ｃの間において放水量が均等化されるように構成してもよい。この点以外は上記した第１の実施形態と同じ構成である。
【００２３】
この構成においてもドームカバー２０の周囲４箇所の洗浄水放出位置ｄｐから放流された洗浄水がそれぞれ均一化された渦巻き状の流水膜を一様に形成しながらドームカバー２０の中心部に至ることで、少量の洗浄水で効率よく撮像窓となるドームカバー２０の周面に付着していた塵埃をカバーの全面に亘って一様に洗い流し、水滴の形成並びに付着を抑止して、カメラの視界を遮る水滴や塵埃をすべて排除したドームカバー２０の清掃が実施される。
【００２４】
第４の実施形態に係る屋外用監視カメラが備える放水ガイドの構成を図７に示している。この実施形態では、上記した第３の実施形態に比べ放水口３１ｅおよびこの放水口３１ｅに設けられている放水弁３２を削減して放水ガイド全体の構成を簡素化した構成例であって、洗浄水放出位置ｄｐに対して複数のガイドリブの長さが、それらガイドリブに対応する放水口から遠ざかるほど長くなっているとともに、複数のガイドリブ配置間隔が、それらガイドリブに対応する放水口から遠ざかるほど広くなっている。
【００２５】
この第４の実施形態では貯水タンク３１の周方向に一定の間隔（１２０°の間隔）で計３つの放水口３１ｅが設けられ、この放水口３１ｅ各々の洗浄水放出位置ｄｐに対してそれぞれ４枚のガイドリブ３３ｃがガイドの形状、角度、間隔をそれぞれ違えて設けられている。この点以外は上記した第１の実施形態と同じ構成である。
【００２６】
この構成においてもドームカバー２０の周囲３箇所の洗浄水放出位置ｄｐから放流された洗浄水がそれぞれ均一化された渦巻き状の流水膜を一様に形成しながらドームカバー２０の中心部に至ることで、少量の洗浄水で効率よく撮像窓となるドームカバー２０の周面に付着していた塵埃をカバーの全面に亘って一様に洗い流し、水滴の形成並びに付着を抑止して、カメラの視界を遮る水滴や塵埃をすべて排除したドームカバー２０の清掃が実施される。
【００２７】
なお、上記した各実施形態において、放水弁３２の構造、貯水タンク３１並びに放水ガイド３３の構成は図を参照して示した実施形態に限らず、例えば放水弁３２に電磁弁以外の電動若しくは手動の制御弁を用いた構成、放水口の数、位置、形状等を違えた貯水タンクの構成、ガイドリブ３３ｃの形状、枚数、配置等を違えた放水ガイド３３による放水手段であってもよい。例えば図で示したガイドリブ３３ｃは平坦面なガイド構造であったが、曲面を有したガイド構造であってもよい。また撮像窓を構成するカバーの形状もドームカバーに限らず、例えば周壁の一部に平坦面若しくは凹面若しくは凸面を有したカバー構造であってもよい。
【００２８】
第５の実施形態に係る屋外用監視カメラの構成を図８に示している。  
この実施形態に係る屋外用監視カメラは、上記放水手段３０が、ドームカバー２０の基部２１の外周に対し周方向に放水されるように上記基部２１に対向してこの基部２１の周囲に間隔的に複数の放水ノズル４１を配置している。さらにこの実施形態は、上記複数の放水ノズル４１に、それぞれポンプ５０で貯水タンク６０から汲み上げた水道水若しくは雨水を洗浄水として供給している。なお、ポンプ５０の駆動制御手段や貯水タンク６０への給水手段はそれぞれ既存の技術が適用可能であり図示説明を省略している。
【００２９】
この実施形態では、ポンプ５０が作動して貯水タンク６０に貯留されている洗浄水が汲み上げられると、この貯水タンク３１から汲み上げられた洗浄水が放水ノズル４１からドームカバー２０の基部２１に向けて噴射される。この放水ノズル４１から噴射された洗浄水はドームカバー２０の周面に巻き付くように薄膜状に流れドームカバー２０の周面に渦流化された流水膜を形成しながらドームカバー２０の中心部に至り滴となって垂下される。この際、ドームカバー２０の周囲複数箇所に噴射され放流された洗浄水がそれぞれ均一化された渦巻き状の流水膜を一様に形成しながらドームカバー２０の中心部に至ることで、少量の洗浄水で効率よく撮像窓となるドームカバー２０の周面に付着していた塵埃をカバーの全面に亘って一様に洗い流し、水滴の形成並びに付着を抑止して、カメラの視界を遮る水滴や塵埃をすべて排除したドームカバー２０の清掃が実施される。
【００３０】
以上図を参照して本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００３１】
１０…カメラハウジング、２０…カバー（ドームカバー）、３０…放水手段、３１，６０…貯水タンク、３１ａ…周壁、３１ｂ…開放された上端、３１ｃ…底壁、３１ｄ…貯水空間、３１ｅ…放水口、３２…放水弁、弁板３２ａ…、３２ｂ…ロータリーソレノイド（電磁駆動源）、３２ｃ…弾発ばね、３３…放水ガイド、３３ａ…開口部、３３ｂ…ガイド底壁、３３ｃ…ガイドリブ、３８…スイッチ、３９…受信部、４１…放水ノズル、５０…ポンプ、Ｃ…閉鎖板、Ｋ…カメラ。
【図１】
2018082384.tif 000003
【図２】
2018082384.tif 000004
【図３】
2018082384.tif 000005
【図４】
2018082384.tif 000006
【図５】
2018082384.tif 000007
【図６】
2018082384.tif 000008
【図７】
2018082384.tif 000009
【図８】
2018082384.tif 000010